(57)【要約】【課題】プラスイオン化成分及び／又はマイナスイオン化成分を生体に導入可能なイオン導入装置を提供することを目的とする。【解決手段】イオン化溶液に含まれるイオン化成分を生体に導入するイオン導入装置であって、それぞれ略同一量のイオン化溶液が収容される一対のフットバス１２，２２と、各前記フットバス１２，２２のイオン化溶液内に配置され、互いに極性の異なる一対の電極板１１、２１と、これらの電極板１１、２１に対して、プラス極性の群発パルス信号とマイナス極性の群発パルス信号とを極性が反転するように交互に出力するパルス生成回路３とを有する。電極板１１、２１は、生体のイオン導入部位である両脚から離間した位置に配置される。【選択図】図１
2009022336.tif 000002
【特許請求の範囲】
【請求項１】
イオン化溶液に含まれるイオン化成分を生体に導入するイオン導入装置であって、
それぞれ略同一量のイオン化溶液が収容される一対の第１の容器と、
各前記第１の容器のイオン化溶液内に配置され、互いに極性の異なる一対の電極と、
これらの電極に対して、プラス極性の群発パルス信号とマイナス極性の群発パルス信号とを極性が反転するように交互に出力するパルス生成回路とを有し、
前記一対の電極を生体のイオン導入部位である両脚又は両腕から離間した位置に配置したことを特徴とするイオン導入装置。
【請求項２】
生体の各前記イオン導入部位を各前記電極から離間した位置に載置するための一対の載置部材を有することを特徴とする請求項１に記載のイオン導入装置。
【請求項３】
各前記載置部材には、イオン化成分を前記イオン導入部位に移動させるための複数のイオン通過口が形成されていることを特徴とする請求項１又は２に記載のイオン導入装置。
【請求項４】
各前記載置部材のうち前記イオン化溶液に接触する接触面は、絶縁材により形成されていることを特徴とする請求項２又は３に記載のイオン導入装置。
【請求項５】
前記載置部材は、格子状に形成されていることを特徴とする請求項２乃至４のうちいずれか一つに記載のイオン導入装置。
【請求項６】
前記一対の第１の容器に収容されたイオン化溶液を攪拌させる攪拌手段を有することを特徴とする請求項１乃至５のうちいずれか一つに記載のイオン導入装置。
【請求項７】
各前記第１の容器をそれぞれ着脱可能に収容する一対の第２の容器を有することを特徴とするイオン導入装置。
【発明の詳細な説明】
【技術分野】
【０００１】
本発明は、生体にイオンを導入するイオン導入装置に関する。
【背景技術】
【０００２】
従来の、生体治療器や美容器等の電気刺激装置においては、薬液や美容液等中に含まれる有効成分を皮膚から生体内に導入するために、一対の電極を生体に接触させて各電極へ通電を行いながら、イオン化された薬液や美容液等の有効成分（イオン化成分）を生体に導入する方法（イオン導入法）が用いられてきた。
【０００３】
イオン化溶液中の有効成分（イオン化成分）を生体に導入するための通電法としては、生体内への電流が流れやすいパルス信号を用いて行うことが提案され、イオン導入装置の内部に、パルス信号を出力するパルス発生回路と、生体に接触しパルス発生回路からのパルス信号を生体に通電するための導入電極と対極電極とを有し、導入電極側のイオン化溶液にパルス信号を印加することにより、イオン化溶液中の有効成分を生体中に浸透させるようにした製品が提供されている。
【０００４】
このようなイオン導入装置では、パルス生成回路からプラス又はマイナスのいずれか単極性のパルス信号が出力される構成となっており、イオン化溶液については、プラス又はマイナスのいずれかにイオン化される有効成分を含むものが使用されていた。
【特許文献１】特許第３６６５６３２号
【発明の開示】
【発明が解決しようとする課題】
【０００５】
しかしながら、実際には、使用されるイオン化溶液の中には、プラスイオン化成分とマイナスイオン化成分との両方を含むものがあることや、１回の生体治療にプラスイオン化成分の薬物とマイナスイオン化成分の薬物を併用投与する場合があることから、単極性のパルス信号が出力される従来の通電法及び電気刺激装置では、イオン化溶液中のプラスイオン化成分又はマイナスイオン化成分のどちらか一方のみが生体内に導入され、一度に両方を導入させることができない、という問題点があった。
【０００６】
したがって、このようなケースで従来の電気刺激装置を使用する場合には、例えば１回の使用目的に対して手順を２段階に分け、プラスイオン化成分又はマイナスイオン化成分を別々の手順により浸透させる必要が生じることになり、時間や手間が大幅に増え、イオン化溶液の使用量が増える、等の無駄が発生し、さらには極性切替スイッチの設定を間違える虞もあることや、導入電極を、一対の電極のどちらか一方に限定して使用しなければならないことから、非常に不便な状況であった。
【０００７】
そこで、本願発明は、イオン化溶液に含まれるイオンの極性を意識せずに効率良く、プラスイオン化成分及び／又はマイナスイオン化成分を生体に導入可能なイオン導入装置を提供することを目的とする。
【課題を解決するための手段】
【０００８】
上記課題を解決するために、本願発明のイオン導入装置は、イオン化溶液に含まれるイオン化成分を生体に導入するイオン導入装置であって、それぞれ略同一量のイオン化溶液が収容される一対の第１の容器と、各前記第１の容器のイオン化溶液内に配置され、互いに極性の異なる一対の電極と、これらの電極に対して、プラス極性の群発パルス信号とマイナス極性の群発パルス信号とを極性が反転するように交互に出力するパルス生成回路とを有し、前記一対の電極を生体のイオン導入部位である両脚又は両腕から離間した位置に配置したことを特徴とする。
【０００９】
ここで、生体の各前記イオン導入部位を各前記電極から離間した位置に載置するための一対の載置部材を設けてもよい。この載置部材には、イオン化成分を前記イオン導入部位に移動させるための複数のイオン通過口を形成することができる。
【００１０】
各前記載置部材のうち前記イオン化溶液に接触する接触面を、絶縁材で形成するとよい。前記載置部材は、格子状に形成するとよい。
【００１１】
前記一対の第１の容器に収容されたイオン化溶液を攪拌させる攪拌手段を設けるとよい。
【００１２】
各前記第１の容器をそれぞれ着脱可能に収容する一対の第２の容器を設けてもよい。
【発明の効果】
【００１３】
本発明によれば、イオン化溶液に含まれるイオンの極性を意識する必要もなくなり両脚又は両腕から、効率良くイオンを導入することができる。
【発明を実施するための最良の形態】
【００１４】
図１乃至図３を参照しながら、本発明のイオン導入装置１の概要を説明する。ここで、図１はイオン導入装置１の使用方法を示す参考図であり、図２はフットバス１２の平面図であり、図３（ａ）は格子板１４の平面図であり、（ｂ）は電極板１１の平面図である。
【００１５】
これらの図において、フットバス１２にはイオン化溶液が収容されており、フットバス（容器）１２の内面には格子板（載置部材）１４を支持するための支持板１３が形成されている。この格子板１４には生体の右足部Ａが載置されており、格子板１４の下方には電極板１１が配置されている。
【００１６】
格子板１４には複数の貫通穴（イオン通過口）１４ａが形成されており、この貫通穴１４ａを介して右足部Ａにイオン化成分を導入する構成になっている。格子板１４には、樹脂などの絶縁材料を用いることができる。このように格子板１４を絶縁材料で構成することにより、イオン化成分を確実に生体に導入させることができる。なお、格子板１４の外面（イオン化溶液に接触する面）のみを絶縁材料で形成してもよい。
【００１７】
電極板１１は、フットバス１２の底面に載置されており、後述するパルス生成回路３から導電線１５を介して出力される群発パルス信号に基づき交互に極性が反転する。電極板１１には、ステンレス、導電性のゴムを用いることができる。
【００１８】
イオン化溶液の中には、プラスイオン化成分とマイナスイオン化成分との両方が含まれている。この種のイオン化溶液としては、硝酸ミコナゾール（プラスイオン化成分）、アスコルビン酸（マイナスイオン化成分）を用いることができる。ただし、本願発明は、プラスイオン化成分及びマイナスイオン化成分のいずれか一方のイオン化成分のみを有するイオン化溶液にも適用することができる。
【００１９】
次に、パルス生成回路３について詳細に説明する。図４（ａ）に図示するようにパルス生成回路３は、パルス信号を出力するパルス出力回路３２と、パルス出力回路３２より出力されたパルス信号の極性を切り替えるための極性切替回路３３と、パルス出力回路３２及び極性切替回路３３を制御するＣＰＵ３１と、ＣＰＵ３１にクロック信号を供給するクロック発振器３４と、これら各回路に電源を供給する電源回路３５とを有している。
【００２０】
このパルス生成回路３では、クロック発振器３４で励起されるクロック信号に基づいてＣＰＵ３１が駆動され、クロック信号に応じた所定周波数のパルスがＣＰＵ３１からパルス出力回路３２に出力される。
【００２１】
パルス出力回路３２は、ＣＰＵ３１からのパルスを所定の出力レベル（出力電圧値）に調整して極性切替回路３３に出力する。パルス出力回路３２から出力されるパルス信号は、図４（ｂ）に示すように、単極性の矩形パルス波となっている。
【００２２】
極性切替回路３３は、不図示のブリッジ回路を有して構成され、ＣＰＵ３１から制御信号に基づいて、パルス出力回路３２から単極性のパルス信号を、ブリッジ回路によってプラス極性の複数のパルス信号（以下、群発パルス信号という）とマイナス極性の群発パルス信号とに切り替えて交互に出力する。極性切替回路３３から出力される各群発パルス信号は、フットバス１２、２２内にそれぞれ配置された一対の電極１１、２１に出力される。
【００２３】
極性切替回路３３に供給される制御信号としては、プラス極性のパルス信号を出力するタイミングを指示するＢ信号（図４（ｂ）の〔Ｂ〕）と、マイナス極性のパルス信号を出力するタイミングを指示するＣ信号（図４（ｂ）の〔Ｃ〕）が、それぞれＣＰＵ３１から出力される。
【００２４】
そして、極性切替回路３３は、図４（ｂ）の〔Ｂ〕及び〔Ｄ〕に示すように、ＣＰＵ３１から供給されるＢ信号がオンの間は、パルス出力回路３２の出力したパルス信号の極性を維持して出力し続けることにより、プラス極性の群発パルス信号を出力する。
【００２５】
また、極性切替回路３３は、図４（ｂ）の〔Ｃ〕及び〔Ｄ〕に示すように、ＣＰＵ３１から供給されるＣ信号がオンの間は、パルス出力回路３２の出力したパルス信号の極性を反転して出力し続けることにより、マイナス極性の群発パルス信号を出力する。
【００２６】
詳細には、ＣＰＵ３１は、Ｂ信号及びＣ信号として、図４（ｂ）の〔Ｂ〕及び〔Ｃ〕に示すように、矩形波によるオンオフ信号を出力しており、いずれかの信号がオンのときには他方の信号がオフになるように出力する。
【００２７】
また、図４（ｂ）の〔Ａ〕と比較して分かるように、ＣＰＵ３１は、Ｂ信号及びＣ信号をオンしている時間が、パルス出力回路３２から出力されるパルス信号の周期よりも長くなるように、Ｂ信号及びＣ信号を出力するようになっており、これにより極性切替回路３３からプラス及びマイナス極性のパルス信号がそれぞれ群発パルス信号として生成される。
【００２８】
次に、イオン導入装置１を用いてイオン導入方法について説明する。イオン導入装置１にイオンの導入を指示する不図示の開始ボタンがオンされると、パルス生成回路３から一対の電極１１、２１に対して、プラス極性の群発パルス信号とマイナス極性の群発パルス信号とが例えば１．５ｓｅｃ毎に交互に供給される。
【００２９】
ここで、足部Ａ及びＢはそれぞれ電極１１、２１から離間しており、足部Ａ及びＢを支持する格子板１４、２４には多数の貫通穴１４ａ、２４ｂが形成されている。したがって、足部Ａ及びＢの足裏には十分な量のイオン化溶液が接触しており、イオン化溶液のプラスイオン化成分及びマイナスイオン化成分とを交互に効率良く足裏から導入させることができる。
【００３０】
また、フットバス１２、２２に収容されたイオン化溶液の液量は同じに設定されており、足部Ａ及びＢのイオン化溶液に対する接触面積を同じにすることができる。これにより、足部Ａ及びＢに流れる電流密度のバラツキを抑制できるため、電流密度の高い部分の皮膚が発赤あるいは炎症するのを防止できる。
【００３１】
さらに、格子板１４、２４を絶縁材料で構成することにより、格子板１４に対して接触する部分と非接触となる部分との電流密度のバラツキを抑制して、イオン化成分をより均等に足部Ａ及びＢに導入させることができる。
【００３２】
また、イオン導入装置１では、パルス生成回路３から発生するパルス信号の極性を切り替えるための極性切替スイッチ等を設ける必要がなくなり、イオン化溶液に含まれるイオンの極性を意識する必要もなくなるので、ユーザの操作が極めて容易になり、極性切替スイッチの誤設定等の虞もなくなる。
【００３３】
さらに、イオン導入装置１では、各電極１１、２１に印加される電圧を数ボルトに抑制しても、各イオン化成分を効率良く生体内に導入することが可能であるため、通電中の生体への刺激が少なくなり、電力消費量を少なくすることができる。
【００３４】
（他の実施例）
イオン化溶液を攪拌するための攪拌手段を設けてもよい。攪拌手段としては、イオン化溶液内に気泡を発生させる気泡発生装置やイオン化溶液内に振動波を発生させる振動発生装置を用いることができる。このように、イオン化溶液を攪拌させることにより、イオン導入時に足部から生じる老廃物を視認させにくくするとともに、イオン化溶液の濃度を均一化（濃度のバラツキを抑制）してイオン導入効果を維持することができる。
【００３５】
上述の実施例では、両足からイオンを導入させたが、両腕からイオンを導入させる構成としてもよい。この場合、両腕の掌を格子板１４、２４にそれぞれ載置してイオン導入を行うことができる。
【００３６】
また、格子板１４、２４を省略することもできる。この場合、例えば、使用車の椅子の高さを調節して、電極１１、２１よりも高い領域（電極１１、２１から離間した位置）に足裏を配置するとよい。すなわち、生体のイオン導入部位を電極１１、２１から離間させ、かつ、イオン化溶液に接触させることができれば、どのような構成を採用してもよい。
【００３７】
上述の実施例では、フットバス１２、２２を箱型の容器で構成したが、袋状の容器（第１の容器）で構成することもできる。この場合、箱型の容器（例えば、フットバス１２、２２と同じものを使用することができる）の中に該袋状の容器を収容し、箱型容器の外面に袋状の容器を引っかけるためのフック部を設けるとよい。フック部に対する係合を解除することにより袋状の容器を箱型の容器から容易に取り外すことができる。なお、この箱型の容器が請求項７に記載の第２の容器に相当する。
【００３８】
これにより、老廃物が排出されたイオン化溶液を袋状の容器とともに箱型容器から取り外して廃棄した後、箱型容器に新しい袋状の容器を装着し、さらにこの袋状の容器の内部にイオン化溶液を注入するのみで、簡単にイオン化溶液を交換することができる。その結果、イオン導入装置の衛生管理を容易化できる。
【図面の簡単な説明】
【００３９】
【図１】イオン導入装置の使用状態を示す参考図である。
【図２】フットバスの平面図である。
【図３】（ａ）が格子板の平面図であり、（ｂ）が電極の平面図である。
【図４】（ａ）がパルス生成回路の回路構成を示すブロック図であり、（ｂ）がパルス生成回路の収容部における出力のタイミングチャートである。
【符号の説明】
【００４０】
１  イオン導入装置
１１  ２１  電極
１２  ２２  フットバス
１３  ２３  支持板
１４  ２４  格子板
３１  ＣＰＵ
３２  パルス出力回路
３３  極性切替回路
３４  クロック発振器
３５  電源回路
【図１】
2009022336.tif 000003
【図２】
2009022336.tif 000004
【図３】
2009022336.tif 000005
【図４】
2009022336.tif 000006